(57)【要約】【課題】棒鋼製品等の長尺物を保管するための可動棚であって、簡単な構造が採られることで、製作コストが軽減され、メンテナンスも容易となるようにする。【解決手段】支柱１に高さ方向に適宜間隔を離して複数本の棚部材５ａ〜５ｄを夫々略鉛直上向姿勢から水平張出姿勢まで回転可能なるように軸支し、該各棚部材に付勢手段７ａ〜７ｄを設けることで該各棚部材が最下段の棚部材５ｄを除いて常態では略鉛直上向姿勢に保持されるようにするとともに、該棚部材の回転軸６ａ〜６ｄに小径スプロケット８ａ〜８ｃと大径スプロケット９ｂ〜９ｄを設け、上段の棚部材の小径スプロケットと下段の棚部材の大径スプロケットとを夫々チェーン１０〜１２を巻掛して連繋し、水平張出姿勢となる途中まで回転されている下段の棚部材上に長尺物１６が載置され該棚部材が水平張出姿勢まで回転するときに同軸上の小径スプロケットと大径スプロケットが係合し該棚部材の回転が前記チェーンを介して上段の棚部材に回転角度が広角度に拡大されて伝達されることで該棚部材が水平張出姿勢となる途中まで回転されるようにした。【選択図】　図４
2004035193.tif 000002
【特許請求の範囲】
【請求項１】
支柱に高さ方向に適宜間隔を離して複数本の棚部材を夫々略鉛直上向姿勢から水平張出姿勢まで回転可能なるように軸支し、該各棚部材に付勢手段を設けることで該各棚部材が最下段の棚部材を除いて常態では略鉛直上向姿勢に保持されるようにするとともに、該棚部材の回転軸に小径スプロケットと大径スプロケットを設け、上段の棚部材の小径スプロケットと下段の棚部材の大径スプロケットとを夫々チェーンを巻掛して連繋し、水平張出姿勢となる途中まで回転されている下段の棚部材上に長尺物が載置され該棚部材が水平張出姿勢まで回転するときに同軸上の小径スプロケットと大径スプロケットが係合し該棚部材の回転が前記チェーンを介して上段の棚部材に回転角度が広角度に拡大されて伝達されることで該棚部材が水平張出姿勢となる途中まで回転されるようにしたことを特徴とする長尺物保管用可動棚。
【請求項２】
付勢手段は各棚部材の後端部に固着した重錘である請求項１に記載の長尺物保管用可動棚。
【発明の詳細な説明】
【０００１】
【発明の属する技術分野】
本発明は棒鋼製品等の長尺物を保管するための可動棚の構造に関するものである。
【０００２】
【従来の技術】
棚部材が複数段に設けられていてクレーン等によって吊って搬送される棒鋼製品等の長尺物を立体的に保持し得るようにする長尺物保管装置には、従来から例えば特許３１１７３４３に示されたように、リンクとカム兼用バランサ等からなる連繋機構、或いは、特開平０８−７３０１２に示されたように、リンクとワイヤとプーリ等からなる連繋機構が各棚部材間に設けられ、該棚部材上に乗せられた長尺物の重量によってその上段の棚部材が旋回し水平状態になることで、収納，搬出が簡単にできるようにしたものが知られている。
【０００３】
【発明が解決しようとする課題】
しかしながら従来の上記長尺物保管装置は、機構が複雑であったのでメンテナンスがよくないとリンク，プーリ等の摩擦力が大きくなって棚部材が正常に旋回しなくなるおそれがあるとともに、製作コストが高くならざるを得ないものであった。
そこで本発明は、従来に比較して簡単な構造が採られることで、製作コストが軽減でき、メンテナンスも容易となる長尺物保管用可動棚を提供しようとするものである。
【０００４】
【課題を解決するための手段】
そのために本発明に係る長尺物保管用可動棚は、支柱に高さ方向に適宜間隔を離して複数本の棚部材を夫々略鉛直上向姿勢から水平張出姿勢まで回転可能なるように軸支し、該各棚部材に付勢手段を設けることで該各棚部材が最下段の棚部材を除いて常態では略鉛直上向姿勢に保持されるようにするとともに、該棚部材の回転軸に小径スプロケットと大径スプロケットを設け、上段の棚部材の小径スプロケットと下段の棚部材の大径スプロケットとを夫々チェーンを巻掛して連繋し、水平張出姿勢となる途中まで回転されている下段の棚部材上に長尺物が載置され該棚部材が水平張出姿勢まで回転するときに同軸上の小径スプロケットと大径スプロケットが係合し該棚部材の回転が前記チェーンを介して上段の棚部材に回転角度が広角度に拡大されて伝達されることで該棚部材が水平張出姿勢となる途中まで回転されるようにしたことを特徴とする。
また本発明は、上記長尺物保管用可動棚における付勢手段が各棚部材の後端部に固着した重錘であることを特徴とする。
【０００５】
【発明の実施の形態】
次に図面に従い本発明の実施の形態を説明する。図１は本発明に係る長尺物保管用可動棚の正面図、図２はそのＡ−Ａ線断面図、図３はそのスプロケット部の拡大側面図、図４〜図７は図１の作動状態図である。同図中、１，２は基部３上に所定間隔を隔てて鉛直に樹立された２本一対のＨ形鋼からなる支柱である。一方の支柱１にはその高さ方向に適宜間隔を離して軸支部４ａ〜４ｄを設け、棚部材５ａ〜５ｄの回転軸６ａ〜６ｄを支持することで該各棚部材５ａ〜５ｄを回転可能なるように軸支している。該各棚部材５ａ〜５ｄの後端部には重錘７ａ〜７ｄが固着され、該重錘の重力付勢により該各棚部材５ａ〜５ｃは略鉛直上向姿勢に回転した状態で保持される。なお、最下段の棚部材５ｄについては重錘７ｄが接地部上に当接することにより水平から約３０度上向の姿勢にて保持される。（仰角α＝３０度）。
【０００６】
また、８ａ〜８ｃは回転軸６ａ〜６ｃの端部に固着された小径スプロケット、９ｂ，９ｃは回転軸６ｂ，６ｃの外周に回転自在に支持され歯数が該小径スプロケットの２倍である大径スプロケット、９ｄは回転軸６ｄの端部に固着した同歯数の大径スプロケットである。そして上段の小径スプロケット８ａと下段の大径スプロケット９ｂとを無端チェーン１０を巻掛して連繋し、上段の小径スプロケット８ｂと下段の大径スプロケット９ｃとを無端チェーン１１を巻掛して連繋し、さらに上段の小径スプロケット８ｃと下段の大径スプロケット９ｄとを無端チェーン１２を巻掛して連繋している。また、１３ｂ，１４ｂは同軸上の小径スプロケット８ｂと大径スプロケット９ｂの対向面に夫々突設した係合爪、１３ｃ，１４ｃは同軸上の小径スプロケット８ｃと大径スプロケット９ｃの対向面に夫々突設した係合爪である。
【０００７】
また、他方の支柱２には高さ方向に適宜間隔を離して支持片１５ａ〜１５ｄが固着され、棚部材５ａ〜５ｄが水平張出姿勢となったとき該支持片上に該各棚部材の先端部を支持し得るようにしている。
【０００８】
この可動棚では、いま図１に示したように棚部材５ａ〜５ｃが略鉛直上向姿勢に回転した状態で保持され棚部材５ｄが水平から約３０度上向の姿勢にて保持されているとき、該棚部材５ｄ上に棒鋼製品等の重量のある長尺物１６をクレーン（図示せず）等から降ろして載置すれば、その荷重で該棚部材５ｄは図４に示したように水平張出姿勢まで回転し大径スプロケット９ｄを回転させることからその回転が無端チェーン１２を介して小径スプロケット８ｃに伝達され上段の棚部材５ｃを水平から約３０度上向の姿勢となるまで回転させる。そのとき係合爪１３ｃと係合爪１４ｃとは未だ離間していることから大径スプロケット９ｃを回転させることはない。
【０００９】
また、該棚部材５ｃ上にさらに長尺物１６を載置すると、図５に示したようにその荷重で該棚部材５ｃは水平張出姿勢まで回転し、係合爪１３ｃが係合爪１４ｃに係合することから大径スプロケット９ｃが回転しその回転が無端チェーン１１を介して小径スプロケット８ｂに伝達され上段の棚部材５ｂを水平から約３０度上向の姿勢となるまで回転させる。そのとき係合爪１３ｂと係合爪１４ｂとは未だ離間していることから大径スプロケット９ｂは回転しない。そしてさらに該棚部材５ｂ上に長尺物１６を載置すると、図６に示したようにその荷重で該棚部材５ｂは水平張出姿勢まで回転し、係合爪１３ｂが係合爪１４ｂに係合することから大径スプロケット９ｂが回転しその回転が無端チェーン１０を介して小径スプロケット８ａに伝達され棚部材５ａを水平から約３０度上向の姿勢となるまで回転させる。そして図７に示したように該棚部材５ａ上に長尺物１６を載置できる。このため、長尺物１６をクレーン等から次々と降ろすだけで、その間隔に自動的に棚部材が水平張出姿勢となり、手間を要さず簡単に多数の長尺物を省スペースで立体的に保管することができる。
【００１０】
また、搬出に際しては、上段の長尺物から順にクレーン等で吊り上げてゆけば、棚部材は重錘の付勢により自動的に略鉛直上向姿勢に戻るので、吊り上げの邪魔になることなく次々と容易に搬出することができる。
【００１１】
なお、この実施形態では棚部材を常態で略鉛直上向姿勢に保持する付勢手段として各棚部材の後端部に重錘を固着したが、バネを付勢手段としてもよい。また、棚部材の段数については必要に応じ増減できることは言うまでもない。
【００１２】
【発明の効果】
このように本発明に係る長尺物保管用可動棚は、支柱に高さ方向に適宜間隔を離して複数本の棚部材を夫々略鉛直上向姿勢から水平張出姿勢まで回転可能なるように軸支し、該各棚部材に付勢手段を設けることで該各棚部材が最下段の棚部材を除いて常態では略鉛直上向姿勢に保持されるようにするとともに、該棚部材の回転軸に小径スプロケットと大径スプロケットを設け、上段の棚部材の小径スプロケットと下段の棚部材の大径スプロケットとを夫々チェーンを巻掛して連繋し、水平張出姿勢となる途中まで回転されている下段の棚部材上に長尺物が載置され該棚部材が水平張出姿勢まで回転するときに同軸上の小径スプロケットと大径スプロケットが係合し該棚部材の回転が前記チェーンを介して上段の棚部材に回転角度が広角度に拡大されて伝達されることで該棚部材が水平張出姿勢となる途中まで回転されるようにしたので、付勢手段とスプロケットとチェーンによる非常に簡単な構造が採られ製作コストが大幅に軽減することができ、メンテナンスも容易で故障のおそれが極めて少ないなど顕著な効果がある。
【図面の簡単な説明】
【図１】本発明の実施形態を示す長尺物保管用可動棚の正面図。
【図２】図１の長尺物保管用可動棚のＡ−Ａ線断面図。
【図３】図１の長尺物保管用可動棚のスプロケット部の拡大側面図。
【図４】図１の長尺物保管用可動棚の作動状態図。
【図５】図１の長尺物保管用可動棚の作動状態図。
【図６】図１の長尺物保管用可動棚の作動状態図。
【図７】図１の長尺物保管用可動棚の作動状態図。
【符号の説明】
１　　　　　　　　　　　　　　　支柱
４ａ〜４ｄ　　　　　　　　　　　軸支部
５ａ〜５ｄ　　　　　　　　　　　棚部材
６ａ〜６ｄ　　　　　　　　　　　回転軸
７ａ〜７ｄ　　　　　　　　　　　重錘
８ａ〜８ｃ　　　　　　　　　　　小径スプロケット
９ｂ〜９ｄ　　　　　　　　　　　大径スプロケット
１０〜１２　　　　　　　　　　　チェーン
１３ｂ，１４ｂ，１３ｃ，１４ｃ　係合爪
１６　　　　　　　　　　　　　　長尺物
【図１】
2004035193.tif 000003
【図２】
2004035193.tif 000004
【図３】
2004035193.tif 000005
【図４】
2004035193.tif 000006
【図５】
2004035193.tif 000007
【図６】
2004035193.tif 000008
【図７】
2004035193.tif 000009